(57)【要約】【課題】操作補助具の取扱性を向上可能にした遮蔽装置を提供する。【解決手段】操作ポールを用いたレールの操作によってスクリーンを昇降するプリーツスクリーンであって、操作時の姿勢とは異なる非操作時の姿勢でボトムレールに操作ポールを保持するボトムハンドル２２を備える。ボトムハンドル２２は、ハンドル本体２２１から前方に突き出る手引操作レバー２２２と、ボトムレールの前方に向けて突き出て手引操作レバー２２２の下方に位置するポールサポート２２３とを備え、非操作時の姿勢として、操作ポールの延在方向とボトムレールの延在方向とを一致させてポールサポート２２３と手引操作レバー２２２との間に操作ポールを保持する。【選択図】図２
2019178580.tif 000002
【特許請求の範囲】
【請求項１】
操作補助具を用いたレールの操作によって遮蔽材を昇降する遮蔽装置であって、
操作時の姿勢とは異なる非操作時の姿勢で前記レールに前記操作補助具を保持する保持部を備える
遮蔽装置。
【請求項２】
前記保持部は、操作時に前記操作補助具を取付けられる
請求項１に記載の遮蔽装置。
【請求項３】
前記保持部は、非操作時の姿勢として前記レールの前方に前記操作補助具を配置する
請求項１または２に記載の遮蔽装置。
【請求項４】
前記保持部は、非操作時の姿勢として前記操作補助具の延在方向を前記レールの延在方向とする
請求項１から３のいずれか一項に記載の遮蔽装置。
【請求項５】
前記保持部は、非操作時の姿勢として前記操作補助具を前方から視認可能にする
請求項１から４のいずれか一項に記載の遮蔽装置。
【請求項６】
前記保持部は、操作時に前記操作補助具を吊り下げる吊下げ部を備える
請求項２に記載の遮蔽装置。
【請求項７】
前記操作補助具は、操作ポールであり、
前記保持部は、前記レールに取付けられたハンドル本体と、前記ハンドル本体から前方に突き出る手引操作レバーと、前記レールの前方に向けて突き出て前記手引操作レバーの下方に位置するポールサポートとを備え、
前記手引操作レバーは、前記吊下げ部であり、
非操作時の姿勢として、前記操作ポールの延在方向と前記レールの延在方向とを一致させて前記ポールサポートと前記手引操作レバーとの間に前記操作ポールを保持する
請求項６に記載の遮蔽装置。
【請求項８】
前記ポールサポートは、非操作時の前記操作ポールが前方に変位することを前記操作ポールとの当接によって規制する規制突起を備える
請求項７に記載の遮蔽装置。
【発明の詳細な説明】
【技術分野】
【０００１】
本発明は、操作補助具を用いた手引操作が可能に構成された遮蔽装置に関する。
【背景技術】
【０００２】
遮蔽材を昇降させる遮蔽装置の一例として、プリーツスクリーン、ハニカムスクリーン、および、横型ブラインドが知られている。プリーツスクリーンやハニカムスクリーンは、遮蔽材としてスクリーンを備える。最上位置に位置するスクリーンの荷重は、スクリーンを吊下げる昇降コードに伝わる。スクリーンが徐々に下降するとき、下降した分のスクリーンの荷重は、昇降コードからヘッドボックスなどに移る。横型ブラインドは、遮蔽材として複数段のスラットを備える。各段のスラットが下降するとき、下降した分のスラットの荷重は、昇降コードからラダーコードなどに移る。
【０００３】
遮蔽材を昇降させる駆動軸での回転トルクは、遮蔽材を下降させるほど、遮蔽材の荷重の低下に従い低下する。反対に、駆動軸での回転トルクは、遮蔽材を上昇させるほど、遮蔽材の荷重の増大に従い増大する。こうした駆動軸での回転トルクの変化は、駆動軸を駆動させる利用者に操作力の調整を強いている。そこで、上述した遮蔽装置では、遮蔽材の荷重とほぼ釣り合う回転トルクを駆動軸に予め加える定荷重ユニットを搭載し、遮蔽材の自動的な昇降を可能にする手引操作が可能な遮蔽装置が提案されている（例えば、特許文献１，２を参照）。
【先行技術文献】
【特許文献】
【０００４】
【特許文献１】特開２０１５−２１８５６７号公報
【特許文献２】米国特許第２０１７／０４４８２２号明細書
【発明の概要】
【発明が解決しようとする課題】
【０００５】
上述した遮蔽装置の利用では、例えば、操作ポールが操作ハンドルに挿し込まれて、操作ポールの操作によって操作が行われる。そして、遮蔽材の昇降が完了した後には、操作ポールが操作ハンドルから取り外されて、次回の操作まで、遮蔽装置の周辺に放置される。結果として、次回の操作の開始において、操作ポールの所在が探索されたり、操作ポールの所在の確認が行われたりする。
本発明は、操作補助具の取扱性を向上可能にした遮蔽装置を提供することを目的とする。
【課題を解決するための手段】
【０００６】
上記課題を解決するための遮蔽装置は、操作補助具を用いたレールの操作によって遮蔽材を昇降する遮蔽装置であって、操作時の姿勢とは異なる非操作時の姿勢で前記レールに前記操作補助具を保持する保持部を備える。
上記遮蔽装置において、前記保持部は、操作時に前記操作補助具を取付けられてもよい。
上記遮蔽装置において、前記保持部は、非操作時の姿勢として前記レールの前方に前記操作補助具を配置してもよい。
【０００７】
上記遮蔽装置において、前記保持部は、非操作時の姿勢として前記操作補助具の延在方向を前記レールの延在方向としてもよい。
上記遮蔽装置において、前記保持部は、非操作時の姿勢として前記操作補助具を前方から視認可能にしてもよい。
上記遮蔽装置において、前記保持部は、操作時に前記操作補助具を吊り下げる吊下げ部を備えてもよい。
【０００８】
上記遮蔽装置において、前記操作補助具は、操作ポールであり、前記保持部は、前記レールに取付けられたハンドル本体と、前記ハンドル本体から前方に突き出る手引操作レバーと、前記レールの前方に向けて突き出て前記手引操作レバーの下方に位置するポールサポートとを備え、前記手引操作レバーは、前記吊下げ部であり、非操作時の姿勢として、前記操作ポールの延在方向と前記レールの延在方向とを一致させて前記ポールサポートと前記手引操作レバーとの間に前記操作ポールを保持してもよい。
上記遮蔽装置において、前記ポールサポートは、非操作時の前記操作ポールが前方に変位することを前記操作ポールとの当接によって規制する規制突起を備えてもよい。
【図面の簡単な説明】
【０００９】
【図１】遮蔽装置の一例であるプリーツスクリーンの正面構造、および、側面構造を示す図。
【図２】ボトムハンドルの構造を示す斜視図。
【図３】中間ハンドルの構造を示す斜視図。
【図４】操作ポールの構造を示す側面図。
【図５】ボトムハンドルをボトムレールに取付ける過程を示す側面図。
【図６】ボトムレールに取付けられたボトムハンドルを示す側面図。
【図７】中間ハンドルを中間レールに取付ける過程を示す側面図。
【図８】中間レールに取付けられた中間ハンドルを示す側面図。
【図９】ボトムハンドルに取付けられた操作ポールを示す斜視図。
【図１０】ボトムハンドルに保持された操作ポールを示す斜視図。
【図１１】プリーツスクリーンと操作ハンドルとの位置関係を示す側面図。
【図１２】遮蔽装置の他の例であるプリーツスクリーンの正面構造、および、側面構造を示す図。
【図１３】ボトムハンドルの構造を示す斜視図。
【図１４】中間ハンドルの構造を示す斜視図。
【図１５】ボトムハンドルをボトムレールに取付ける過程を示す側面図。
【図１６】ボトムレールに取付けられたボトムハンドルを示す側面図。
【図１７】中間ハンドルを中間レールに取付ける過程を示す側面図。
【図１８】中間レールに取付けられた中間ハンドルを示す側面図。
【図１９】プリーツスクリーンと操作ハンドルとの位置関係を示す側面図。
【図２０】遮蔽装置の他の例であるハニカムスクリーンの構造を示す斜視図。
【図２１】ボトムハンドルの構造を示す斜視図。
【図２２】ハニカムスクリーンと操作ハンドルとの位置関係を示す側面図。
【図２３】（ａ）（ｂ）レールと操作ハンドルとの位置関係を示す平面図。
【図２４】遮蔽装置の他の例であるハニカムスクリーンの正面構造、および、側面構造を示す図。
【発明を実施するための形態】
【００１０】
図１から図２２を参照して遮蔽装置の一実施形態を説明する。
まず、遮蔽装置の一例である第１プリーツスクリーンの全体構成（図１参照）、および、各操作ハンドルの構成（図２〜図１１参照）を説明する。
【００１１】
次いで、遮蔽装置の他の例である第２プリーツスクリーン（図１２参照）の全体構成、および、各操作ハンドルの構成（図１３〜図１９参照）を説明する。続いて、遮蔽装置の他の例であるハニカムスクリーンの全体構成（図２０参照）、および、操作ハンドルの構成（図２１〜図２２参照）を説明する。
【００１２】
各例の遮蔽装置は、操作補助具の一例である操作ポールを用いたレールの操作によって遮蔽材を昇降する。そして、各例の遮蔽装置は、保持部を備え、保持部は、操作時の姿勢とは異なる非操作時の姿勢でレールに操作ポールを保持する。
【００１３】
［第１プリーツスクリーン］
図１が示すように、プリーツスクリーンは、遮蔽材の一例である上スクリーン１０と、遮蔽材の一例である下スクリーン２０とを備える。また、プリーツスクリーンは、ヘッドボックス１００と、中間レール１１と、ボトムレール２１とを備える。
【００１４】
各スクリーン１０，２０は、上下方向にジグザグ状に折り曲げられている。上スクリーン１０の上端は、ヘッドボックス１００に接続されて、上スクリーン１０の下端は、中間レール１１に接続されている。下スクリーン２０の上端は、中間レール１１に接続されて、下スクリーン２０の下端は、ボトムレール２１に接続されている。
【００１５】
中間ハンドル１２は、保持部の一例であり、中間レール１１の延在方向（左右方向）での中央に取付けられている。ボトムハンドル２２は、保持部の一例であり、ボトムレール２１の延在方向（左右方向）での中央に取付けられている。
【００１６】
ヘッドボックス１００は、前後方向に並ぶ２本の駆動軸１０１（図１では１本を図示）と、２体の巻き取りユニット１０２と、２体のギヤユニット１０３と、２体の定荷重ユニット１０４とを備える。各駆動軸１０１は、左右方向に延びる多角柱状を有する。
【００１７】
各巻き取りユニット１０２は、昇降コード２３の巻き取りと巻き出しとをレール１１，２１ごとに行う。各昇降コード１３，２３は、駆動伝達部材の一例であり、各スクリーン１０，２０の前後方向での中央を通る。各ギヤユニット１０３は、駆動軸１０１の回転を変速して定荷重ユニット１０４に伝える。定荷重ユニット１０４は、ギヤユニット１０３に定荷重を出力する。
【００１８】
ここで、各スクリーン１０，２０や各レール１１，２１は、昇降コード１３，２３を通じて、駆動軸１０１に回転トルクを与える。この荷重による回転トルクは、各駆動軸１０１において巻き出し方向に作用する。これに対して、定荷重ユニット１０４が出力する回転トルクは、各駆動軸１０１において巻き取り方向に作用する。そして、駆動軸１０１での回転トルクが釣り合って、各駆動軸１０１は、荷重による回転トルクでは回転せずに、静止した状態を保つ。
【００１９】
一方で、各レール１１，２１が持ち上げられると、荷重による回転トルクが一旦低下する。これによって、定荷重ユニット１０４による回転トルクが相対的に強まり、昇降コード１３，２３が巻き取られる。そして、各レール１１，２１から操作力が除かれると、駆動軸１０１での回転トルクが再び釣り合って、各レール１１，２１の上昇が止まる。なお、各レール１１，２１が引き下げられると、昇降コード１３，２３が巻き出される。そして、各レール１１，２１から操作力が除かれると、回転トルクが再び釣り合って、各レール１１，２１の下降が止まる。すなわち、各ハンドル１２，２２を手で直接操作する手引操作、もしくは、操作ポール３０を用いた操作に従って各レール１１，２１は動き、操作が終了した状態で、各レール１１，２１は静止する。
【００２０】
［各操作ハンドル］
図２が示すように、ボトムハンドル２２は、操作ハンドルの一例であり、ハンドル本体２２１、および、吊下げ部の一例である手引操作レバー２２２を備える。また、ボトムハンドル２２は、左右で一対のポールサポート２２３、左右で一対の第１固定爪２２４、および、左右で一対の第２固定爪２２５を備える。
【００２１】
ハンドル本体２２１は、ボトムレール２１の前面、下面、および、後面に追従した形状を有する。例えば、ハンドル本体２２１は、左右方向から見てＵ字状を有する。ハンドル本体２２１の前後方向の幅２ＷＢは、ボトムレール２１の前後方向の幅とほぼ等しい。ハンドル本体２２１の前方上端は、手引操作レバー２２２、および、第１固定爪２２４と一体である。ハンドル本体２２１の後方上端は、第２固定爪２２５と一体である。
【００２２】
手引操作レバー２２２は、ハンドル本体２２１の左右方向の全幅にわたって、ハンドル本体２２１から前方に突き出る板状を有する。手引操作レバー２２２は、上下方向に貫通したフック挿通孔２２Ｈを備える。フック挿通孔２２Ｈは、左右方向に延びる長孔であって、手引操作レバー２２２における左右方向の中央に位置する。手引操作レバー２２２の上面は、左右で一対のフック止め２２Ｔを備える。一対のフック止め２２Ｔは、フック挿通孔２２Ｈよりも前方に位置する。一対のフック止め２２Ｔは、前後方向に延在する突条であって、左右方向に所定の間隔を空けて並ぶ。
【００２３】
ポールサポート２２３は、ハンドル本体２２１の左右両端に位置し、ハンドル本体２２１から前方に向けて突き出る。ポールサポート２２３は、手引操作レバー２２２の下方に位置して、平坦な上端面であるサポート面を備える。一対のポールサポート２２３の隙間と、フック挿通孔２２Ｈとは、上下方向で相互に対向する。
【００２４】
ポールサポート２２３のサポート面は、手引操作レバー２２２に向けて突き出るポール止め２２６を備える。ポール止め２２６は、規制突起の一例である。手引操作レバー２２２の下面は、ポール止め２２６と対向する位置に、ポール止め２２７を備える。手引操作レバー２２２と、左右で一対のポールサポート２２３との間の空間は、操作ポール３０が保持される保持空間である。
【００２５】
第１固定爪２２４は、手引操作レバー２２２から後方に向けて突き出る片持ち梁状を有する。一対の第１固定爪２２４は、手引操作レバー２２２の左右方向での両端に位置する。第２固定爪２２５は、ハンドル本体２２１の後方上端から前方に向けて突き出る。一対の第２固定爪２２５は、ハンドル本体２２１の左右方向での両端に位置する。
【００２６】
図３が示すように、中間ハンドル１２は、操作ハンドルの一例であり、ハンドル本体１２１、および、吊下げ部の一例である手引操作レバー１２２を備える。また、中間ハンドル１２は、左右で一対のポールサポート１２３、左右で一対の固定爪１２４、および、左右で一対の固定爪１２５を備える。
【００２７】
ハンドル本体１２１は、中間レール１１の前面、上面、および、下面に追従した形状をする。例えば、ハンドル本体１２１は、左右方向から見て逆コ字状を有する。ハンドル本体１２１の前後方向の幅１ＷＢは、中間レール１１の前後方向の幅よりも十分に小さく、かつ、固定爪１２４の前後方向の幅よりも大きい。ハンドル本体１２１の前方上端は、手引操作レバー１２２、および、固定爪１２４と一体である。ハンドル本体１２１の後方下端は、固定爪１２５と一体である。
【００２８】
手引操作レバー１２２は、ハンドル本体１２１の左右方向の全幅にわたって、ハンドル本体１２１から前方に突き出る板状を有する。手引操作レバー１２２は、上下方向に貫通したフック挿通孔１２Ｈを備える。フック挿通孔１２Ｈは、左右方向に延びる長孔であって、手引操作レバー１２２における左右方向の中央に位置する。手引操作レバー１２２の上面は、左右で一対のフック止め１２Ｔを備える。一対のフック止め１２Ｔは、フック挿通孔１２Ｈよりも前方に位置する。一対のフック止め１２Ｔは、前後方向に延在する突条であって、左右方向に所定の間隔を空けて並ぶ。
【００２９】
ポールサポート１２３は、ハンドル本体１２１の左右両端に位置し、ハンドル本体１２１から前方に向けて突き出る。ポールサポート１２３は、手引操作レバー１２２の下方に位置して、平坦な上端面であるサポート面を備える。一対のポールサポート１２３の隙間と、フック挿通孔１２Ｈとは、上下方向で相互に対向する。
【００３０】
ポールサポート１２３のサポート面は、手引操作レバー１２２に向けて突き出るポール止め１２６を備える。ポール止め１２６は、規制突起の一例である。手引操作レバー１２２の下面は、ポール止め１２６と対向する位置に、ポール止め１２７を備える。手引操作レバー１２２と、左右で一対のポールサポート１２３との間の空間は、操作ポール３０が保持される保持空間である。
【００３１】
固定爪１２４は、手引操作レバー１２２から後方に向けて突き出る片持ち梁状を有する。一対の固定爪１２４は、手引操作レバー２２２の左右方向での両端に位置する。固定爪１２５は、ハンドル本体１２１の後方端から上方に向けて突き出る。一対の固定爪１２５は、ハンドル本体１２１の左右方向での両端に位置する。
【００３２】
図４が示すように、操作ポール３０は、ポール本体３１と、ポール本体３１の先端部３２に連結されたフック３３とを備える。ポール本体３１は六角柱状を有して、先端部３２で先細りする形状を有する。フック３３は、１つの平面内に位置する円環状を有する。
【００３３】
［操作ハンドルの作用］
図５が示すように、ボトムハンドル２２がボトムレール２１に取付けられるとき、まず、左右で一対の第１固定爪２２４が、ボトムレール２１の前カバーの係止片２１Ａに引っ掛けられる。次いで、左右で一対の第２固定爪２２５がボトムレール２１の後面に沿って持ち上げられるように、手引操作レバー２２２の前端が押し下げられる。例えば、ボトムレール２１における下スクリーン２０の生地押さえ２１Ｂが押し下げられることによって、手引操作レバー２２２の押し下げは許容される。
【００３４】
この間、ハンドル本体２２１の内面突起２２８とボトムレール２１の下面角部とが一旦当接して、手引操作レバー２２２を押し下げる作業者に、取付けによる抵抗感が与えられる。そして、ボトムレール２１の下面角部がハンドル本体２２１の内面突起２２８を乗り越えるように作業者が操作力を高めると、手引操作レバー２２２の押し下げがさらに進む。
【００３５】
図６が示すように、手引操作レバー２２２の押し下げが進むと、第１固定爪２２４がボトムレール２１に引っ掛けられた状態で、第２固定爪２２５がボトムレール２１に引っ掛かる。これによって、ボトムハンドル２２がボトムレール２１を下方から包むように、ボトムハンドル２２がボトムレール２１に取付けられる。そして、ボトムレール２１の前方に、手引操作レバー２２２（ポール止め２２７）とポールサポート２２３（ポール止め２２６）とで挟まれた保持空間が、ボトムハンドル２２で区切られる。
【００３６】
図７が示すように、中間ハンドル１２が中間レール１１に取付けられるとき、まず、左右で一対の第１固定爪１２４が、中間レール１１の前カバーの係止片１１Ａに引っ掛けられる。次いで、左右で一対の第２固定爪１２５が中間レール１１の下面に沿って押し込まれるように、手引操作レバー１２２の前端が押し下げられる。例えば、中間レール１１における上スクリーン１０の生地押さえ１１Ｂが押し下げられることによって、手引操作レバー１２２の押し下げは許容される。
【００３７】
図８が示すように、手引操作レバー１２２の押し下げが進むと、第１固定爪１２４が中間レール１１に引っ掛けられた状態で、中間レール１１における下スクリーン２０の生地押さえ１１Ｄが第２固定爪１２５によって押し上げられる。これによって、第１固定爪１２４が、中間レール１１の前カバーの係止片１１Ａに引っ掛けられて、第２固定爪１２５が、中間レール１１の前カバーの係止片１１Ｃに引っ掛けられる。そして、中間ハンドル１２が中間レール１１を前方から包むように、中間ハンドル１２が中間レール１１に取付けられる。また、中間レール１１の前側には、手引操作レバー１２２（ポール止め１２７）とポールサポート１２３（ポール止め１２６）とで挟まれた保持空間が、中間ハンドル１２で区切られる。
【００３８】
次に、操作ポール３０の取付け、および、保持について説明する。なお、ボトムハンドル２２に対する操作ポール３０の取付け、および、保持と、中間ハンドル１２に対する操作ポール３０の取付け、および、保持とは、相互に等しい手順で行われるため、以下では、ボトムハンドル２２に対する操作ポール３０の取付け、および、保持について詳細に説明する。
【００３９】
図９が示すように、操作ポール３０がボトムハンドル２２に取付けられるとき、まず、操作ポール３０のフック３３は、手引操作レバー２２２の下方から、左右で一対のポールサポート２２３の間を通して、フック挿通孔２２Ｈに挿通される。次いで、円環状を有したフック３３がフック挿通孔２２Ｈから抜けないように、ポール本体３１が回される。
【００４０】
これによって、フック３３の先端が一対のフック止め２２Ｔに挟まれて、操作ポール３０の先端部３２とフック３３とによって手引操作レバー２２２が挟持される。すなわち、操作ポール３０は、手引操作レバー２２２からポール本体３１を吊り下げられた姿勢で、ボトムハンドル２２に取付けられる。そして、操作ポール３０が持ち上げられたり、操作ポール３０が引き下げられたりすることによって、操作ポール３０を用いたボトムレール２１の操作が行われる。なお、ボトムハンドル２２が手の届く範囲に到達すると、操作ポール３０による操作が終了し、フック３３がフック挿通孔２２Ｈから抜けるように、ポール本体３１が回されて、フック３３がフック挿通孔２２Ｈから引き抜かれる。
【００４１】
図１０が示すように、操作に使用された操作ポール３０は、操作ポール３０の延在方向と、ボトムレール２１の延在方向とが一致するように、ポール本体３１と当接し、それによって、保持空間に向けて、ボトムレール２１の前方から押し込まれる。押し込まれた操作ポール３０は、左右で一対のポールサポート２２３にポール本体３１を下方から支持された姿勢で、ボトムハンドル２２に保持される。
【００４２】
図１１が示すように、ポールサポート２２３のサポート面は、六角柱状をなすポール本体３１の一側面と面接触し、それによって、操作ポール３０の姿勢を安定させる。また、上下方向で対向する各ポール止め２２６，２２７は、ポール本体３１と当接し、それによって、保持空間からポール本体３１が抜け落ちることを抑える。そして、操作ポール３０は、非操作時の姿勢として、ボトムレール２１の前方に視認可能に横置きされる。なお、手引操作レバー２２２は、ヘッドボックス１００の下方に位置し、かつ、スクリーン２０よりも前方に位置する。また、操作時の姿勢とは、中間ハンドル１２、もしくは、ボトムハンドル２２に取り付けられた操作ポール３０が鉛直方向に延在する姿勢である。非操作時の姿勢とは、操作ポール３０が鉛直方向に延在する姿勢以外の姿勢である。
【００４３】
上記第１プリーツスクリーンによれば、以下に記載する効果が得られる。
（１）操作用の操作ポール３０が、非操作時とは異なる姿勢で、各ハンドル１２，２２に保持される。そのため、操作ポール３０を用いた操作の実施に際しては、各ハンドル１２，２２から操作ポール３０が取出され、操作の完了に際しては、各ハンドル１２，２２に操作ポール３０が保持される。
【００４４】
結果として、操作前であれ、操作中であれ、操作後であれ、操作対象となる各レール１１，２１を操作ポール３０の所在に設定可能であるから、操作ポール３０の取扱性が向上可能である。そして、操作時における操作ポール３０の姿勢と、非操作時における操作ポール３０の姿勢とが相互に異なるため、非操作時における操作ポール３０の姿勢として、上述した横置きのように、遮蔽に特化した姿勢が設定可能となる。
【００４５】
（２）操作ポール３０が保持された状態で、操作ポール３０の延在方向と各レール１１，２１の延在方向とが一致するため、遮蔽装置の占有空間が操作ポール３０の保持で拡大することが抑制可能となる。
【００４６】
（３）各レール１１，２１の前方で操作ポール３０が使用されて、使用後の操作ポール３０が各レール１１，２１の前方に保持される。そのため、操作ポール３０を用いた操作、および、操作ポール３０の保持の両方が、各スクリーン１０，２０の前方で実施可能である。
【００４７】
（４）各ハンドル１２，２２が操作ポール３０を保持するため、操作ポール３０を保持するための構造が、各ハンドル１２，２２と別体である構成と比べて、プリーツスクリーンの部材点数が増大することが抑制可能である。
【００４８】
（５）左右で一対のポールサポート１２３，２２３間と対向する位置に操作ポール３０が掛けられるため、手引操作レバー１２２，２２２に対して操作ポール３０を掛ける作業において、各ポールサポート１２３，２２３が障害物となることが抑制可能となる。
【００４９】
（６）ポール本体３１と各ポールサポート１２３，２２３との面接触は、操作ポール３０の姿勢を保持において安定させる。そのため、操作ポール３０の取扱性がさらに向上可能である。
【００５０】
（７）ポール本体３１と各ポール止め２２６，２２７との当接は、操作ポール３０の姿勢を保持において安定させる。そのため、操作ポール３０の取扱性がさらに向上可能である。
【００５１】
（８）各ハンドル１２，２２に保持された操作ポール３０が視認可能であるため、操作前であれ、操作後であれ、操作ポール３０の所在を利用者に把握させることが可能である。
【００５２】
［第２プリーツスクリーン］
第２プリーツスクリーンは、各スクリーン１０，２０に通される昇降コード１３，２３の位置、および、昇降コード２３に接続されるボトムレール２１の構成が、第１プリーツスクリーンとは異なる。以下では、第１プリーツスクリーンと異なる構成について詳細に説明する。
【００５３】
図１２が示すように、プリーツスクリーンは、遮蔽材の一例である上スクリーン１０Ａと、遮蔽材の一例である下スクリーン２０Ａとを備える。また、プリーツスクリーンは、中間レール１１Ｐと、ボトムレール２１Ｐとを備える。中間レール１１Ｐは、第１プリーツスクリーンと同じく、左右方向から見て前後方向に延びる矩形状を有する。ボトムレール２１Ｐは、第１プリーツスクリーンとは異なり、左右方向から見て上下方向に延びる矩形状を有する。
【００５４】
中間ハンドル１２Ａは、保持部の一例であり、中間レール１１Ｐの延在方向（左右方向）での中央に取付けられている。ボトムハンドル２２Ａは、保持部の一例であり、ボトムレール２１Ｐの延在方向（左右方向）での中央に取付けられている。
【００５５】
各スクリーン１０Ａ，２０Ａは、上下方向にジグザグ状に折り曲げられている。各昇降コード１３，２３は、各スクリーン１０Ａ，２０Ａにおける後側の折り目での継代を通り、各スクリーン１０Ａ，２０Ａの前方からは視認不能である。ボトムレール２１Ｐは、昇降コード１３，２３の直下に位置する。
【００５６】
［各ハンドル］
図１３が示すように、ボトムハンドル２２Ａは、ハンドル本体２２１、手引操作レバー２２２、左右で一対のポールサポート２２３、左右で一対の第１固定爪２２４、および、左右で一対の第２固定爪２２５を備える。ハンドル本体２２１は、ボトムレール２１Ｐの前面、下面、および、後面に追従した形状を有し、左右方向から見てＵ字状を有する。
【００５７】
ハンドル本体２２１の後面は、左右で一対の延設片２２５Ａを備える。各延設片２２５Ａは、上方に突き出る片持ち梁状を有する。各延設片２２５Ａの上端部は、第２固定爪２２５と一体である。ハンドル本体２２１の前後方向の幅２ＷＢは、各スクリーン１０Ａ，２０Ａの前後方向の幅の半分以下であり、各スクリーン１０Ａ，２０Ａの前後方向の幅よりも十分に小さい。
【００５８】
図１４が示すように、中間ハンドル１２Ａは、ハンドル本体１２１、手引操作レバー１２２、左右で一対のポールサポート１２３、左右で一対の固定爪１２４、および、左右で一対の固定爪１２５を備える。ハンドル本体１２１は、中間レール１１の前面、上面、および、下面に追従した形状をする。固定爪１２４の前後方向での幅は、ハンドル本体１２１の前後方向での幅とほぼ等しい。
【００５９】
図１５が示すように、ボトムハンドル２２Ａがボトムレール２１Ｐに取付けられるとき、まず、左右で一対の第１固定爪２２４が、ボトムレール２１Ｐの前カバーの係止片２１Ａに引っ掛けられる。次いで、左右で一対の第２固定爪２２５がボトムレール２１Ｐの上面を後方から覆うように、手引操作レバー２２２の前端が押し下げられる。例えば、ボトムレール２１Ｐにおける下スクリーン２０の生地押さえ２１Ｂが押し込まれることによって、手引操作レバー２２２の押し下げは許容される。
【００６０】
図１６が示すように、手引操作レバー２２２の押し下げが進むと、第１固定爪２２４がボトムレール２１Ｐに引っ掛けられた状態で、第２固定爪２２５がボトムレール２１Ｐの上面に引っ掛かる。これによって、ボトムハンドル２２Ａがボトムレール２１Ｐを下方、および、後方から包むように、ボトムハンドル２２Ａがボトムレール２１Ｐに取付けられる。そして、ボトムレール２１Ｐの前側には、手引操作レバー２２２（ポール止め２２７）とポールサポート２２３（ポール止め２２６）とで挟まれた保持空間が、ボトムハンドル２２Ａで区切られる。
【００６１】
図１７が示すように、中間ハンドル１２Ａが中間レール１１Ｐに取付けられるとき、まず、第１固定爪１２４と第２固定爪１２５との間に、中間レール１１Ｐが前面から挿しこまれる。この際、第１固定爪１２４と第２固定爪１２５との間隔が広がるように、中間ハンドル１２Ａが変形して、中間レール１１Ｐの挿し込みが進む。
【００６２】
図１８が示すように、中間レール１１Ｐの挿し込みが進むと、第１固定爪１２４が中間レール１１Ｐの係止片１１Ａに引っ掛けられ、また、第２固定爪１２５が中間レール１１Ｐの係止片１１Ｃに引っ掛けられる。これによって、中間ハンドル１２Ａが中間レール１１Ｐを前方から包むように、中間ハンドル１２Ａが中間レール１１Ｐに取付けられる。これによって、中間レール１１Ｐの前側には、手引操作レバー１２２（ポール止め１２７）とポールサポート１２３（ポール止め１２６）とで挟まれた保持空間が、中間ハンドル１２Ａで区切られる。
【００６３】
ボトムレール２１Ｐに対する操作の一例として、ボトムレール２１Ｐが最上位置に引き上げられた状態から、ボトムレール２１Ｐを引き下げる操作を説明する。
【００６４】
図１９が示すように、まず、操作ポール３０のフック３３が、フック挿通孔２２Ｈに挿通されて、操作ポール３０が、手引操作レバー２２２に吊下げられる。次いで、下スクリーン２０を引き下げるための操作力が、操作ポール３０から、手引操作レバー２２２、および、ボトムレール２１Ｐを通して、昇降コード２３に伝えられる。
【００６５】
この際、図１９における前後方向の座標軸が示すように、下スクリーン２０Ａは、前後方向において、遮蔽範囲２０Ｗを占めている。手引操作レバー２２２の前方端Ｃ０は、下スクリーン２０Ａの下方に位置し、かつ、前後方向においては、遮蔽範囲２０Ｗに含まれている。そのため、手引操作レバー２２２に加わる操作力は、下スクリーン２０Ａの荷重とほぼ同一方向に作用する。結果として、手引操作レバー２２２に加わる操作力は、下スクリーン２０Ａを下方前側に向けて引き出すように作用せず、下スクリーン２０Ａを直下に向けて引き下げるように円滑に作用する。
【００６６】
また、ボトムレール２１Ｐは、上下方向に延びる断面矩形状を有して、昇降コード２３の直下に吊下げられている。ボトムレール２１Ｐの重心は、前後方向において、下スクリーン２０Ａの後端部とほぼ等しく、下スクリーン２０Ａの中心Ｃ２よりも後方に位置する。そして、ボトムレール２１Ｐが上下方向に延びる形状であるから、ボトムレール２１Ｐが左右方向に延びる形状と比べて、昇降コード２３と手引操作レバー２２２との距離を、前後方向において、さらに短縮可能である。そのため、ボトムレール２１Ｐでは、操作力が伝わる位置と、昇降コード２３に支持される位置とを、前後方向において、より近づけることが可能となる。
【００６７】
なお、下スクリーン２０Ａの前後方向での中心Ｃ２は、ヘッドボックス１００の前後方向での中心Ｃ１よりも後方である。また、昇降コード２３の前後方向での位置は、その下スクリーン２０Ａの中心Ｃ２よりも後方であって、下スクリーン２０Ａの後端部（下スクリーン２０Ａにおける後側の折り目での継代ＳＢ）である。すなわち、昇降コード２３は、前後方向において、ヘッドボックス１００の中心Ｃ１よりも後方であり、かつ、下スクリーン２０Ａの中心Ｃ２よりも後方に位置する。
【００６８】
ここで、フック挿通孔２２Ｈの周囲は、手引操作レバー２２２の中で、操作ポール３０から操作力が伝わる部位である。フック挿通孔２２Ｈは、前後方向において、下スクリーン２０Ａの中心Ｃ２、もしくは、昇降コード２３と同じく、下スクリーン２０Ａの中心Ｃ２よりも後方に位置する。すなわち、フック挿通孔２２Ｈの位置と、昇降コード２３の位置とは、いずれも中心Ｃ２よりも後方に位置する。それゆえに、ボトムレール２１Ｐでは、操作力が伝わる位置と、昇降コード２３に支持される位置とを、前後方向において、さらに近づけることが可能であって、操作力をさらに円滑に加えることが可能となる。
【００６９】
上記第２プリーツスクリーンによれば、上記（１）〜（８）に準じた効果に加えて、以下に記載する効果が得られる。
（９）手引操作レバー２２２が、下スクリーン２０の下方に位置し、かつ、前後方向においては、遮蔽範囲２０Ｗと重なる。結果として、手引操作レバー２２２を引き下げる操作力は、下スクリーン２０Ａを下方前側に向けて引き出すように作用せず、下スクリーン２０Ａを下方に向けて引き下げるように作用する。そのため、昇降コード２３が吊下げられる方向に沿って、操作力を円滑に加えることが可能となる。
（１０）さらに、手引操作レバー２２２が、前後方向において、遮蔽範囲２０Ｗに含まれるため、上記（９）に準じた効果をさらに高めることが可能となる。
【００７０】
（１１）ボトムレール２１Ｐが、上下方向に延びる断面矩形状を有するため、遮蔽範囲２０Ｗの中に手引操作レバー２２２を配置すること、すなわち、上記（９）に準じた構成を具体化することが容易となる。
【００７１】
（１２）また、昇降コード２３と手引操作レバー２２２との距離を、前後方向において、短縮可能であるため、ボトムレール２１Ｐの姿勢をほぼ保ちながら、下スクリーン２０Ａを下方に向けて引き下げることが可能となる。
【００７２】
（１３）フック挿通孔２２Ｈが、前後方向において、下スクリーン２０Ａの中心Ｃ２よりも後方に位置するため、ボトムレール２１Ｐでは、操作力が伝わる位置と、昇降コード２３に支持される位置とを、前後方向において、さらに近づけることが可能である。それゆえに、上記（１２）に準じた効果をさらに高めることが可能となる。
【００７３】
［ハニカムスクリーン］
ハニカムスクリーンでは、スクリーンがハニカム構造であること、および、中間レールを備えないことが、第１，第２プリーツスクリーンとは異なる。以下では、第１，第２プリーツスクリーンと異なる構成について詳細に説明する。
【００７４】
図２０が示すように、ハニカムスクリーンは、遮蔽材の一例であるスクリーン２０Ｑを備える。スクリーン２０Ｑは、ハニカム構造を備える。スクリーン２０Ｑは、ジグザグに折り曲げられた前生地と、ジグザグに折り曲げられた後生地とが、前後方向の中央で接続されており、前生地と後生地との間に、昇降コード２３が通されている。スクリーン２０Ｑの上端は、ヘッドボックス１００に接続されて、スクリーン２０Ｑの下端は、ボトムレール２１Ｑに接続されている。ボトムハンドル２２は、保持部の一例であり、ボトムレール２１Ｑの延在方向（左右方向）での中央に取付けられている。
【００７５】
図２１が示すように、ボトムハンドル２２は、ハンドル本体２２１、手引操作レバー２２２、左右で一対のポールサポート２２３、左右で一対の第１固定爪２２４、および、左右で一対の第２固定爪２２５を備える。ハンドル本体２２１は、ボトムレール２１Ｑの前面、下面、および、後面に追従した形状を有する。例えば、ハンドル本体２２１は、左右方向から見てＵ字状を有する。
【００７６】
ボトムハンドル２２がボトムレール２１Ｑに取付けられるとき、第１プリーツスクリーンと同じく、まず、左右で一対の第１固定爪２２４が、ボトムレール２１Ｑの前カバーの係止片２１Ａに引っ掛けられる。次いで、左右で一対の第２固定爪２２５がボトムレール２１Ｑの後面に沿って持ち上げられるように、手引操作レバー２２２の前端が押し下げられる。そして、ボトムハンドル２２がボトムレール２１Ｑを下方から包むように、ボトムハンドル２２がボトムレール２１Ｑに取付けられる。また、ボトムレール２１の前方に、手引操作レバー２２２とポールサポート２２３とで挟まれた保持空間が、ボトムハンドル２２で区切られる。
【００７７】
図２２が示すように、手引操作レバー２２２は、ヘッドボックス１００の下方に位置し、かつ、ヘッドボックス１００よりも前方に位置する。なお、操作ポール３０は、第１，第２プリーツスクリーンと同じく、非操作時の姿勢として、ボトムレール２１の前方に視認可能に横置きされる。
【００７８】
なお、上記実施形態は、以下のように変更して実施することもできる。
［保持部］
・図２３（ａ）が示すように、ボトムハンドル２２は、ボトムレール２１の左右方向での中心Ｃ３であって、各昇降コード２３の取付部２３Ｔ間の中心に配置可能である。
・各中間レール１１，１１Ｐは、左右方向に並ぶ複数の中間ハンドルを備えることも可能である。各ボトムレール２１，２１Ｐ，２１Ｑは、左右方向に並ぶ複数のボトムハンドルを備えることも可能である。
【００７９】
なお、各レールに作用する操作力がレールの長手方向で偏ることを抑える観点から、複数の中間ハンドルや複数のボトムハンドルは、左右で一対の昇降コードに挟まれることが好ましい。また、複数の中間ハンドルや複数のボトムハンドルは、各レールの左右方向での中心に対して左右対称に位置することが好ましい。例えば、図２３（ｂ）が示すように、２つのボトムハンドル２２は、左右で一対の取付部２３Ｔに挟まれることが好ましい。また、２つのボトムハンドル２２は、ボトムレール２１の左右方向での中心Ｃ３に対して左右対称に位置することが好ましい。
・操作補助具は、操作補助具の姿勢を変更可能にレールに連結可能である。例えば、図２４が示すように、操作ポール３０は、鉛直面に沿って回転可能に、ボトムレール２１に軸支されている。図２４の破線が示すように、操作時の姿勢では、操作ポール３０は鉛直方向に延在し、図２４の実線が示すように、非操作時の姿勢では、操作ポール３０は左右方向に延在する。ボトムレール２１Ｑは、下方に向けて開口したＣ字状の保持部２１Ｗを備える。そして、非操作時の操作ポール３０は、保持部２１Ｗに挟持される。この際、ボトムレール２１Ｑの底面が上方に向けた窪みを備え、非操作時の操作ポール３０が窪みに収納されて視認不能に構成可能である。
この構成によっても、上述した（１）〜（４）、（９）、（１０）に準じた効果は得られる。また、ボトムレール２１Ｑと操作ポール３０とが連結されているため、操作ポール３０を操作時の姿勢に整える手間が軽減可能ともなる。さらに、非操作時の操作ポール３０が視認不能であるから、操作ポール３０を搭載しない遮蔽装置と同等の意匠性を、操作ポール３０を搭載した遮蔽装置において得られる。
【００８０】
・各中間レール１１，１１Ｐは、中間ハンドル１２，１２Ａからポールサポート１２３を省略し、かつ、中間ハンドル１２，１２Ａとは異なる保持部を備え、当該保持部が、手引操作レバーとポールサポートとを備えて保持空間を区分することも可能である。
【００８１】
・各中間レール１１，１１Ｐは、手引操作レバー１２２とポールサポート１２３と一体であって、保持空間を区分することも可能である。この際、遮蔽装置は、中間ハンドルを省略可能である。
【００８２】
・各ボトムレール２１，２１Ｐ，２１Ｑは、ボトムハンドル２２，２２Ａからポールサポート２２３を省略し、かつ、ボトムハンドル２２，２２Ａとは異なる保持部を備え、当該保持部が、手引操作レバーとポールサポートとを備えて保持空間を区分することも可能である。
【００８３】
・各ボトムレール２１，２１Ｐ，２１Ｑは、手引操作レバーとポールサポートと一体であって、保持空間を区分することも可能である。この際、遮蔽装置は、ボトムハンドルを省略可能である。
【００８４】
［操作補助具］
・手引操作レバーと操作補助具とは、フックと手引操作レバーとの係合による操作補助具の吊下げを、手引操作レバーと操作補助具との嵌合による吊下げ、または、手引操作レバーと操作補助具との磁気吸着による吊下げに変更可能である。要は、手引操作レバーと操作補助具とは、手引操作レバーに操作補助具を吊下げる構成であればよい。
・操作補助具は、直線状、曲線状、折線状などの各種棒状を採用可能である。また、操作補助具は、紐状、環状などの各種形状を採用可能である。
【００８５】
［遮蔽装置］
・遮蔽装置は、プリーツスクリーン、ハニカムスクリーン、横型ブラインド、さらには、ロールスクリーンのいずれか一種である。
・遮蔽装置は、１体の遮蔽材を備える形式、複数の遮蔽材が上下に並ぶ形式、あるいは、複数の遮蔽材が前後に並ぶ形式に変更可能である。要は、遮蔽装置は、操作補助具を用いたレールの手引操作によって遮蔽材を昇降する装置であればよい。
【符号の説明】
【００８６】
Ｃ１，Ｃ２，Ｃ３…中心、ＳＢ…継代、１ＷＢ，２ＷＢ…幅、１０，１０Ａ…上スクリーン、１１Ａ，１１Ｃ…係止片、１１Ｂ，１１Ｄ…生地押さえ、１１，１１Ｐ…中間レール、１２，１２Ａ…中間ハンドル、１２Ｈ…フック挿通孔、１２Ｔ…フック止め、１３，２３…昇降コード、２０，２０Ａ…下スクリーン、２０Ｗ…遮蔽範囲、２１，２１Ｐ，２１Ｑ…ボトムレール、２１Ａ…係止片、２１Ｂ…生地押さえ、２２，２２Ａ…ボトムハンドル、２２Ｈ…フック挿通孔、２２Ｔ…フック止め、３０…操作ポール、３１…ポール本体、３２…先端部、３３…フック、１００…ヘッドボックス、１０１…駆動軸、１０２…巻き取りユニット、１０３…ギヤユニット、１０４…定荷重ユニット、１２１，２２１…ハンドル本体、１２２，２２２…手引操作レバー、１２３，２２３…ポールサポート、１２４，２２４…第１固定爪、１２５，２２５…第２固定爪、１２６，１２７，２２６，２２７…ポール止め、２２５Ａ…延設片、２２８…内面突起。
【図１】
2019178580.tif 000003
【図２】
2019178580.tif 000004
【図３】
2019178580.tif 000005
【図４】
2019178580.tif 000006
【図５】
2019178580.tif 000007
【図６】
2019178580.tif 000008
【図７】
2019178580.tif 000009
【図８】
2019178580.tif 000010
【図９】
2019178580.tif 000011
【図１０】
2019178580.tif 000012
【図１１】
2019178580.tif 000013
【図１２】
2019178580.tif 000014
【図１３】
2019178580.tif 000015
【図１４】
2019178580.tif 000016
【図１５】
2019178580.tif 000017
【図１６】
2019178580.tif 000018
【図１７】
2019178580.tif 000019
【図１８】
2019178580.tif 000020
【図１９】
2019178580.tif 000021
【図２０】
2019178580.tif 000022
【図２１】
2019178580.tif 000023
【図２２】
2019178580.tif 000024
【図２３】
2019178580.tif 000025
【図２４】
2019178580.tif 000026